(57)【要約】【課題】ペットボトル内の液体を注ぐ際に起こる不規則な脈動を確実に防止し、かつ、ペットボトルを任意の方向に傾けて注いでも脈動を起こさない脈動防止具付きペットボトルを提供する。【解決手段】脈動防止具１０Ｇとして、空気流路となる小さな口径の細径管１０を複数本互いに連接して円環状に形成し、各細径管１０を、注ぎ口内壁２ａに密着させて、注ぎ口内壁２ａの全面を円周方向に覆うように配設し、かつ、各細径管１０の長さを注ぎ口２の頂端面２ｃから底端面２ｄまでの長さと略等しくし、各細径管１０の頂端面（１０ａ）を注ぎ口２の頂端面２ｃと同一平面上に揃えるように配設する。なお、各細径管１０の全ての長さを略等しくする代わりに、あらかじめ定めた所定の間隔ごとに配設されている複数本の細径管１０に関し、当該細径管１０の長さをさらに長くし、当該細径管１０それぞれの底端面（１０ｂ）を、ペットボトル本体の底端面の近傍まで延在させるようにしても良い。【選択図】        図１
2010083530.tif 000002
【特許請求の範囲】
【請求項１】
狭い空気流路としてあらかじめ定めた口径を有する細径管を複数本互いに連接させて円環状に形成してなる脈動防止具を、ペットボトルの注ぎ口の内壁に沿って配設した脈動防止具付きペットボトルであって、前記脈動防止具を形成する各前記細径管が、前記注ぎ口の内壁に密着して、該内壁の全面を円周方向に覆うように配設され、かつ、各前記細径管の長さが、前記注ぎ口の頂端面から底端面までの長さと略等しく、各前記細径管の頂端面が、前記注ぎ口の頂端面と同一平面上に位置するように配設されることを特徴とする脈動防止具付きペットボトル。
【請求項２】
各前記細径管の全ての長さを、前記注ぎ口の頂端面から底端面までの長さと略等しくする代わりに、円環状に形成された各前記細径管のうち、あらかじめ定めた所定の間隔ごとに配設されている複数本の前記細径管に関し、当該細径管それぞれの長さをさらに長くし、当該細径管の底端面それぞれを、ペットボトル本体の底端面の近傍まで延在させた長細径管として形成し、該長細径管の長手方向の形状を、前記注ぎ口の内壁および前記ペットボトル本体の内壁に密着するように、前記注ぎ口の内壁および前記ペットボトル本体の内壁の形状に合わせて屈曲させた屈曲形状とすることを特徴とする請求項１に記載の脈動防止具付きペットボトル。
【請求項３】
前記長細径管および該長細径管と隣接する前記細径管に関し、前記ペットボトルの注ぎ口の頂端面から底端面までに配備する部材部分を一体化させて口径を拡大した形状からなる長短混在の細径管として形成することを特徴とする請求項２に記載の脈動防止具付きペットボトル。
【請求項４】
各前記細径管および／または各前記長細径管の底端面の形状を、当該脈動防止具付きペットボトルの中心軸側に位置する部位を最低部とし、当該脈動防止具付きペットボトルの外周側に位置する部位を最高部とした傾斜形状とすることを特徴とする請求項1ないし３のいずれかに記載の脈動防止具付きペットボトル。
【請求項５】
液体容器の注ぎ口の軸に概ね平行に軸を揃えて該注ぎ口の内壁に固着される複数の細径管を有してなり、前記細径管が前記注ぎ口と概ね同じ長さである脈動防止具。
【発明の詳細な説明】
【技術分野】
【０００１】
本発明は、脈動防止具付きペットボトルに関し、ペットボトル内の内部液体を注ぐ際に生じる不規則な脈動を防止し、液体の流水を整え、流量を安定化する脈動防止具を注ぎ口に備えたペットボトルに関する。
【背景技術】
【０００２】
近年は、合成樹脂（ポリエステル）の一種であるポリエチレンテレフタレート（Poly-Ethylene
Terephthalate）を材料として作られている容器であるペットボトル(PET bottle)が、ビンに代わって、ミネラルウォータ等の飲料用の液体や消毒剤・洗剤等の液体を入れる容器として多用されるようになってきている。
【０００３】
しかし、大容量（例、２リットル）のペットボトルを開栓して、ペットボトルから内部の液体を注ぎ出そうとする際に、ペットボトルの注ぎ口より流れ出る液体が、不規則にドボッドボッと脈打つように脈動して、コップ等の容器に正常に注ぎ込むことができず、容器の外にこぼしてしまうことが多い。
【０００４】
かくのごとき脈動は、ペットボトルの注ぎ口で液体と空気との入れ替えが安定せず、液体と空気との流路に乱れが発生することに起因している。かかる事態を防止するためには、注意してできるだけゆっくりと注ぐか、あるいは、コップ等の容器をペットボトルの注ぎ口まで持ち上げて注ぎ込むなどの工夫が必要であり、時間や手間が掛かり、煩わしさを伴う作業となっていた。
【０００５】
このため、ペットボトルの内部液体の吐出時における脈動防止策としていくつかの提案がなされている。例えば、特許文献１の特開２００２−３０２１２２号公報「ペットボトル用注ぎ水の脈動防止具」においては、図６に示すように、ペットボトル１′の注ぎ口２の注ぎ口内壁２ａとペットボトル傾斜面部４の傾斜面部内壁４ａとペットボトル本体３の本体内壁３ａとに沿って、注ぎ水脈動防止具として、１または２つ（図６には１つの場合を示している）の屈曲管状空気路５０に空気を通すことができる主体を配備することによって、内部液体２０を注ぎ口２から注ぐ場合、ペットボトル本体３を把持して、屈曲管状空気路５０を配備したペットボトル本体３の側面側が上に向く方向に、ペットボトル１′を傾動させて、空気の流入と水流の流出とのぶつかり合いを生じさせないようにし、安定した水流を確保しようとする試みが提案されている。
【０００６】
あるいは、特許文献２の特開２００７−３０２３３７号公報「偏口ペットボトル」においては、図７に示すように、ペットボトルの注ぎ口２を、ペットボトル本体３の断面の中央の位置ではなく、いずれかの内壁側に偏芯させて配置することにより、内部液体を注ぎ口２から注ぐ場合、ペットボトル本体３を把持して、偏芯させた注ぎ口２の方向側に傾けて、空気の流入路と内部液体の流出路とがぶつかり合わないようにしようとする試みが提案されている。
【特許文献１】特開２００２−３０２１２２号公報（第２−３頁）
【特許文献２】特開２００７−３０２３３７号公報（第２頁）
【発明の開示】
【発明が解決しようとする課題】
【０００７】
以上のように、従来の通常のペットボトルの場合は、ペットボトルから液体を注ぐ際の脈動の発生を防ごうとすると、できるだけ少量づつゆっくり注いだり、注ぎ込もうとするコップ等の容器を持ち上げたりするなど、時間や手間が掛かり、煩わしい作業になるという問題がある。
【０００８】
また、前記特許文献１や前記特許文献２のような脈動防止対策は、ペットボトルの内部の液体を注ぐ際に、脈動の発生を確実に防止しようとすると、ペットボトルを傾ける方向が特定されてしまい、収納場所からペットボトルを把持して取り出した後、ペットボトルを脈動防止可能な特定の方向に傾動させようとするために、ペットボトルを持ち直すことが必要になるという問題がある。
【０００９】
本発明は、かかる事情に鑑みてなされたものであり、内部液体を吐出させるための液体流路とは別個に空気流入用の空気流路を、ペットボトルの注ぎ口に配備し、ペットボトルの内部液体を吐出させる際に、前記空気流路を介して、外部からの空気をペットボトル内の内部の空気領域にスムーズに送り込んで、脈動の発生を確実に防止することを可能にするとともに、ペットボトルを任意の方向に傾動させて内部液体を吐出させる場合であっても、脈動を起こさずに内部液体を正常に注ぎ出させることを可能とする脈動防止具付きペットボトルを提供することを、その目的としている。
【課題を解決するための手段】
【００１０】
前述の課題を解決するため、本発明による脈動防止具付きペットボトルは、次のような特徴的な構成を採用している。
【００１１】
（１）狭い空気流路としてあらかじめ定めた口径を有する細径管を複数本互いに連接させて円環状に形成してなる脈動防止具を、ペットボトルの注ぎ口の内壁に沿って配設した脈動防止具付きペットボトルであって、前記脈動防止具を形成する各前記細径管が、前記注ぎ口の内壁に密着して、該内壁の全面を円周方向に覆うように配設され、かつ、各前記細径管の長さが、前記注ぎ口の頂端面から底端面までの長さと略等しく、各前記細径管の頂端面が、前記注ぎ口の頂端面と同一平面上に位置するように配設される脈動防止具付きペットボトル。
（２）各前記細径管の全ての長さを、前記注ぎ口の頂端面から底端面までの長さと略等しくする代わりに、円環状に形成された各前記細径管のうち、あらかじめ定めた所定の間隔ごとに配設されている複数本の前記細径管に関し、当該細径管それぞれの長さをさらに長くし、当該細径管の底端面それぞれを、ペットボトル本体の底端面の近傍まで延在させた長細径管として形成し、該長細径管の長手方向の形状を、前記注ぎ口の内壁および前記ペットボトル本体の内壁に密着するように、前記注ぎ口の内壁および前記ペットボトル本体の内壁の形状に合わせて屈曲させた屈曲形状とする上記（１）の脈動防止具付きペットボトル。
（３）前記長細径管および該長細径管と隣接する前記細径管に関し、前記ペットボトルの注ぎ口の頂端面から底端面までに配備する部材部分を一体化させて口径を拡大した形状からなる長短混在の細径管として形成する上記（２）の脈動防止具付きペットボトル。
（４）各前記細径管および／または各前記長細径管の底端面の形状を、当該脈動防止具付きペットボトルの中心軸側に位置する部位を最低部とし、当該脈動防止具付きペットボトルの外周側に位置する部位を最高部とした傾斜形状とする上記（１）ないし（３）のいずれかの脈動防止具付きペットボトル。
（５）液体容器の注ぎ口の軸に概ね平行に軸を揃えて該注ぎ口の内壁に固着される複数の細径管を有してなり、前記細径管が前記注ぎ口と概ね同じ長さである脈動防止具。
【発明の効果】
【００１２】
本発明の脈動防止具付きペットボトルによれば、脈動防止具としてペットボトルの注ぎ口の内壁の全周に亘って多数の細径管を互いに連接させて、円環状に配設する構造としているので、以下のような効果を得ることができる。
【００１３】
第１の効果は、ペットボトルの内部液体の流出路（液体流路）とは別個の空気流入路（空気流路）となる小さな口径の細径管を多数備えることにより、外部からの空気がペットボトル内の内部液体の液面よりも上側に存在する細径管を介してペットボトル内の内部空気の領域に直接連通させた状態で、スムーズに送り込まれてくるので、あるいは、内部液体の液面よりも低い位置の細径管についても、外部からの空気が細径管から内部液体を介して流入してくる際に、極めて細かな気泡の状態で内部液体内を通過して内部空気の領域に到達してくるので、内部液体が吐出される際の脈動の発生を確実に防止することが可能であるという点にある。
【００１４】
第２の効果は、内部液体を注ぐ場合に、ペットボトル本体を任意の方向に傾動させても、脈動を起こさずに内部液体を吐出させることが可能であるという点にある。
【００１５】
第３の効果は、内壁の全周に沿って多数の細径管のうち、適当な間隔ごとの細径管に関しては、ペットボトルの内壁に沿って、ペットボトルの底端面の近傍まで延在させた長細径管の構造とすることにより、脈動の発生をより確実に防止することを可能としているという点にある。
【発明を実施するための最良の形態】
【００１６】
以下、本発明による脈動防止具付きペットボトルの好適な実施例について添付図を参照して説明する。
【００１７】
図１は、本発明に係る脈動防止具付きペットボトルの構造の一例を示す斜視図であり、脈動防止具付きペットボトル１内に内部液体２０を充填した状態で、脈動防止具付きペットボトル１の注ぎ口２の注ぎ口ネジ部２ｅに螺合されていたキャップ（図示していない）を開栓した状態を示している。
【００１８】
図１に示す脈動防止具付きペットボトル１は、通常のペットボトルと同様に、合成樹脂（ポリエステル）の一種であるポリエチレンテレフタレートを材料として、一定の容積（例えば２リットル）の円筒状や四角柱状のボトル形状に成形された容器であり、注ぎ口２とペットボトル本体３とを有し、注ぎ口２の注ぎ口底端面２ｄとペットボトル本体３の本体頂端面３ｃとの間には、ペットボトルの本体の一部としてあらかじめ定めた傾斜角度で斜めに傾斜したペットボトル傾斜面部４が形成されている。
【００１９】
また、注ぎ口２、ペットボトル本体３、ペットボトル傾斜面部４のそれぞれは、概ね等しい肉厚で成形されており、それぞれ、注ぎ口内壁２ａおよび注ぎ口外壁２ｂ、本体内壁３ａおよび本体外壁３ｂ、傾斜面部内壁４ａおよび傾斜面部外壁４ｂを形成している。また、注ぎ口外壁２ｂには、前述したように、注ぎ口２を閉栓するためのキャップと螺合させる注ぎ口ネジ部２ｅが形成されている。
【００２０】
図１には、内部液体２０が、注ぎ口２から注入されて、脈動防止具付きペットボトル１内にあらかじめ定めた量だけ充填されている状態を示しており、脈動防止具付きペットボトル１内の内部液体２０の液面２０ａから上側の空隙部には、内部空気３０が入り込んでいる状態になっている。
【００２１】
また、内部液体の吐出時における脈動を防止するための脈動防止具１０Ｇとして、狭い空気流路の形成用としてあらかじめ定めた小口径の細径管１０を複数本互いに連接させて円環状の形状の部材が備えられている。ここで、各細径管１０が形成する円環の外周側の口径を注ぎ口内壁２ａの内径と略等しくして、多数の細径管１０それぞれが注ぎ口内壁２ａに密着した状態で、注ぎ口内壁２ａの全面を円周方向に覆うように配設されている。また、各細径管１０の口径は、注ぎ口２の内径に比して十分に小さい大きさであって、外部からの空気が大きな塊となって細径管１０内に突入することがないように、十分に小さな口径であるとともに、細径管１０内に内部液体の表面張力による膜が形成されない程度の大きさを有する口径でもある。内部液体の種類にも依存するが、例えば、清涼飲料水用のペットボトルのような場合であれば、各細径管１０の口径は２〜３ｍｍ程度が望ましい。かかる清涼飲料水用のペットボトルとして、例えば、脈動防止具付きペットボトル１の注ぎ口２の内径が２リットル容量の通常のペットボトルと同程度の２０ｍｍ程度であった場合には、脈動防止具１０Ｇを形成する細径管１０の本数は、２０〜３０個程度であり、注ぎ口内壁２ａの全面を覆うように、各細径管１０が互いに連接した状態で約２０ｍｍの口径を有する円環として配設されることになる。
【００２２】
また、各細径管１０は、注ぎ口内壁２ａ縦方向についても、略全面を覆うように、注ぎ口２の注ぎ口内壁２ａに沿って配設されており、各細径管１０の長さは、注ぎ口頂端面２ｃから注ぎ口底端面２ｄまでの長さに略等しいかまたは注ぎ口頂端面２ｃから注ぎ口底端面２ｄまでの長さよりも若干長く、かつ、各細径管１０の頂端面１０ａは、脈動防止具付きペットボトル１の注ぎ口頂端面２ｃと同一平面上に並ぶように配設される。
【００２３】
次に、図１に示す脈動防止具付きペットボトル１の構造について、図２の要部断面図および平面図を用いて、さらに詳細に説明する。図２は、図１に示す脈動防止具付きペットボトル１の構造を説明するための構造図であり、図２（Ａ）は、図１に示す脈動防止具付きペットボトル１の側断面を示す断面図であり、図２（Ｂ）は、図１に示す脈動防止具付きペットボトル１の上側から眺めた際の平面図である。なお、図２には、脈動防止具付きペットボトル１のペットボトル本体３が、角を落とした四角柱状のボトル形状である場合を示している。
【００２４】
図２（Ａ）の断面図に示すように、脈動防止具１０Ｇを形成する多数の細径管１０それぞれは、注ぎ口２の長さＬと略等しい長さを有する（または、注ぎ口２の長さＬよりも若干長い長さとしても良いが、ここでは、略等しい長さとする）とともに、それぞれの頂端面１０ａと底端面１０ｂとは、注ぎ口頂端面２ｃと注ぎ口底端面２ｄとにそれぞれ概ね同じ面に揃うような位置に配設され、細径管１０それぞれの頂端面１０ａは、注ぎ口２の注ぎ口頂端面２ｃと同一の平面を形成している。また、図２（Ｂ）の平面図に示すように、脈動防止具１０Ｇを形成する細径管１０それぞれの口径ｄは、注ぎ口２の内径Ｄに比し、充分に小さく、注ぎ口２の中央部には、液体流路１２として、内部液体２０を注ぎ口２から吐出させようとする際に、内部液体２０をスムーズに外部に吐出させることが可能な開口面積を有する大きな空隙が確保されている。
【００２５】
また、細径管１０のそれぞれは、前述のように、口径ｄが充分に小さく、狭い空気流路１１として形成されており、外部からの空気を小さな塊の状態で内部に流入させることができる。つまり、内部液体２０を注ぎ口２から吐出させるために、脈動防止具付きペットボトル１を把持して、いずれかの方向に傾動させた場合、傾いた状態の注ぎ口２の上側に位置したいずれか１ないし複数本の細径管１０は、脈動防止具付きペットボトル１内の内部液体２０の液面２０ａよりも上側に位置することとなり、空気流路１１としての１ないし複数本の当該細径管１０を介して、脈動防止具付きペットボトル１内の内部空気３０と外部の空気とを直接連通させた状態にすることが可能となり、吐出させる内部液体２０の流れとぶつかり合うことなく、内部液体２０が外部に吐出されていく量に応じて、外部の空気が脈動防止具付きペットボトル１内の内部空気３０の領域にスムーズに流入することを可能としている。
【００２６】
また、脈動防止具１０Ｇを形成する細径管１０を、注ぎ口２の注ぎ口内壁２ａの全周を覆うように多数配設しているので、内部液体２０を注ぎ口２の液体流路１２から注ぎ出そうとして、ペットボトル本体３の本体外壁３ｂを把持して、脈動防止具付きペットボトル１を傾動させる際に、如何なる方向に脈動防止具付きペットボトル１を傾動させた場合であっても、注ぎ口２の内部液体２０の流路となる液体流路１２よりも上側の位置には、いずれか１ないし複数本の細径管１０が、内部空気３０の領域と外部の空気とが直接連通する空気流路１１として存在する可能性が高く、液体流路１２から外部に吐出された内部液体２０の量に相当する量だけ、吐出される液体の流れとぶつかり合うことなく、当該空気流路１１としての１ないし複数本の細径管１０を介して、外部の空気が脈動防止具付きペットボトル１内の内部空気３０の領域にスムーズに流入することになる。
【００２７】
なお、図２（Ａ）の拡大図の破線に示すように、細径管１０の底端面１０ｂの形状を、注ぎ口頂端面２ｃと略平行な平面となる形状としないで、傾斜面を有する底端面１０ｂ１として形成するようにしても良い。ここで、底端面１０ｂ１の傾斜面は、図２（Ａ）の拡大図の破線で示すように、注ぎ口２の中心軸側の部位つまり当該脈動防止具付きペットボトル１の中心軸側に位置する部位を最低部にし、注ぎ口内壁２ａ側の部位つまり当該脈動防止具付きペットボトルの外周側に位置する部位を最高部とした傾斜形状とするものである。かかる傾斜形状とすれば、内部液体２０を注ぎ口２から外部へ吐出させるために、脈動防止具付きペットボトル１を傾動させた場合、注ぎ口２の液体流路１２よりも上側に位置した細径管１０の底端面１０ｂ１の開口した面積が大きくなるので、上側に位置した該細径管１０を介して、外部の空気と脈動防止具付きペットボトル１内の内部空気３０の領域とを、より連通し易くすることができ、よりスムーズに外部からの空気を流入させることができる。
【００２８】
次に、図１に示す脈動防止具付きペットボトル１の内部液体２０を吐出させる様子を、図３を用いて、さらに説明する。図３は、図１に示す脈動防止具付きペットボトル１の内部液体２０を吐出させる際の様子を示す説明図であり、各細径管１０により形成された円環の内周側に存在する液体流路１２から殆どが吐出する内部液体２０の流れを、実線の矢印で示し、内部液体２０が吐出する液面よりも上側に位置する細径管１０を介して脈動防止具付きペットボトル１の内部の内部空気３０の領域に流入してくる外部の空気の流れを破線の矢印で示している。
【００２９】
図３（Ａ）は、内部液体２０の量が多い状態で、内部液体２０を注ぎ口２から吐出させようとする場合のペットボトル本体３の傾動状態を模式的に示したものであり、いずれか任意の方向に、ペットボトル本体３を僅かに傾動させるだけで、注ぎ口内壁２ａに沿って配設された各細径管１０による円環よりも内周側に位置する液体流路１２から内部液体２０の殆どが吐出される状態になる。一方、内部液体２０の液面２０ａよりも上側にある細径管１０は、ペットボトル傾斜面部４付近に存在する内部空気３０の領域と連通した空気流路１１として機能して、吐出された内部液体２０の量だけ、空気流路１１を介して外部の空気を脈動防止具付きペットボトル１の内部に流入させる。したがって、吐出される内部液体２０の流れとぶつかり合うことなく、外部からの空気をスムーズに取り込むことができ、吐出してくる液体の脈動を防止することができる。
【００３０】
図３（Ｂ）は、内部液体２０の量がペットボトル本体３の容量の半分程度になっている状態で、内部液体２０を注ぎ口２から吐出させようとする場合のペットボトル本体３の傾動状態を模式的に示したものであり、いずれか任意の方向に、ペットボトル本体３を略水平になるまで傾動させることにより、注ぎ口内壁２ａに沿って配設された各細径管１０による円環よりも内周側に位置する液体流路１２から内部液体２０が殆ど吐出される状態になる。かかる傾動状態であっても、内部液体２０の液面２０ａよりも上側にある細径管１０は、傾いたペットボトル本体３の上側に存在する内部空気３０の領域と連通した空気流路１１として機能して、吐出された内部液体２０の量だけ、空気流路１１を介して外部の空気を脈動防止具付きペットボトル１の内部に流入させる。したがって、吐出される内部液体２０の流れとぶつかり合うことなく、外部からの空気をスムーズに取り込むことができ、吐出してくる液体の脈動を防止することができる。
【００３１】
図３（Ｃ）は、内部液体２０の量が殆どなくなった状態で、内部液体２０を注ぎ口２から吐出させようとする場合のペットボトル本体３の傾動状態を模式的に示したものであり、いずれか任意の方向に、ペットボトル本体３を深く傾動させることにより、注ぎ口内壁２ａに沿って配設された各細径管１０による円環よりも内周側に位置する液体流路１２から内部液体２０が殆ど吐出される状態になる。かかる傾動状態であっても、内部液体２０の液面２０ａよりも上側にある細径管１０は、傾いたペットボトル本体３の上側に存在する内部空気３０の領域と連通した空気流路１１として機能して、吐出された内部液体２０の量だけ、空気流路１１を介して外部の空気を脈動防止具付きペットボトル１の内部に流入させる。したがって、吐出される内部液体２０の流れとぶつかり合うことなく、外部からの空気をスムーズに取り込むことができ、吐出してくる液体の脈動を防止することができる。
【００３２】
以上、詳細に説明したように、本実施例においては、注ぎ口２の注ぎ口内壁２ａの全周に亘って多数の細径管１０を、脈動防止具１０Ｇとして配設しているので、内部液体２０の流出路（液体流路１２）とは別個の空気流入路（空気流路１１）となる細径管１０を介して、脈動防止具付きペットボトル１内の内部液体２０の液面２０ａよりも上側に存在する脈動防止具付きペットボトル１内の内部空気３０の領域に直接連通させた状態で外部の空気がスムーズに送り込まれ、内部液体２０が吐出される際の脈動の発生を確実に防止することが可能であるとともに、内部液体２０を注ぐ場合に、ペットボトル本体３を任意の方向に傾動させても、脈動を起こさずに内部液体２０を注ぐことが可能であるという効果を奏することができる。
【００３３】
なお、内部液体２０を急いで吐出させるために、ペットボトル本体３を、いずれか任意の方向に傾動させる操作を急激に行った場合、全ての細径管１０が、脈動防止具付きペットボトル１内の内部液体２０の液面２０ａよりも低い位置になり、脈動防止具付きペットボトル１内の内部空気３０の領域に直接連通した細径管１０が存在しない状態が発生することもあり得る。
【００３４】
しかしながら、かかる状態が発生した場合であっても、前述したように、細径管１０の口径は、注ぎ口２の中央部に形成されている液体流路１２の口径に比し十分に小さいものであり、内部液体２０の殆どは、液体流路１２を介して吐出されることになり、各細径管１０を介して吐出されることは殆どない。一方、外部の空気が細径管１０に連続的に流入してきても、細径管１０の口径は小さいので、流入してくる空気の塊は小さな大きさのものであり、細径管１０から内部液体２０内に流れ出る空気は、連続的な小さな気泡になって、脈動防止具付きペットボトル１内の内部空気３０の領域まで、内部液体２０内を上昇していくことになる。したがって、小さな気泡が、内部液体２０の流れの中を移動していき、内部空気３０の領域に到達した段階で気泡が小さく弾けて内部空気３０となるので、内部液体２０の液面２０ａを大きく脈動させることはなく、内部液体２０と内部空気３０との入れ替えを安定的に行わせることができ、内部液体２０をスムーズに吐出させることができる。
【００３５】
ここで、ペットボトル本体３を急激に傾動させる操作を行った場合であっても、空気流路１１として、外部の空気と脈動防止具付きペットボトル１内の内部空気３０の領域とを直接連通した細径管１０を確保して、内部液体２０内に気泡を発生させることなく、内部液体２０をスムーズに吐出させるためには、例えば、脈動防止具１０Ｇとして、図４のような形状の細径管１０の構造としても良い。図４は、本発明に係る脈動防止具付きペットボトルの構造の図２とは異なる例を示す要部断面図である。
【００３６】
すなわち、図４（Ａ）に示す構造の場合、注ぎ口２の注ぎ口内壁２ａに脈動防止具１０Ｇとして注ぎ口内壁２ａを覆うように多数配設される細径管１０を、図２の場合のように、注ぎ口２の長さＬと略同一の長さに揃えるのではなく、２種類の長さの細径管１０を用いることにする。すなわち、あらかじめ定めた所定の間隔ごとに配設されている複数本の細径管１０に関しては、当該細径管１０の長さをさらに長くして、ペットボトル本体３の本体底端面３ｄの近傍まで延在させた長細径管１０ｌとして形成し、残りの細径管１０を図２の場合と同様の注ぎ口２の長さＬと略同一の長さまたは注ぎ口２の長さＬよりも若干長い長さとした短細径管１０ｓとする構造とする。
【００３７】
長細径管１０ｌの形状については、口径は、図４（Ａ）に示すように、短細径管１０ｓと同じ口径ｄであり、長手方向は、注ぎ口頂端面２ｃから注ぎ口底端面２ｄまでは、図２の場合と同様、注ぎ口内壁２ａに密着させて注ぎ口頂端面２ｃに対して垂直な方向に形成されるが、注ぎ口底端面２ｄ付近において、ペットボトル傾斜面部４の傾斜面部内壁４ａに密着するように屈曲した後、本体頂端面３ｃに達するまで延在させ、しかる後、本体内壁３ａに密着させて、本体頂端面３ｃから本体底端面３ｄの近傍（あらかじめ定めた間隔）まで延在させた屈曲形状としている。
【００３８】
また、長細径管１０ｌを配設する所定の間隔については、内部液体２０の残量がペットボトル本体３の容量の半分程度以下になっている状態において、内部液体２０を注ぐために、ペットボトル本体３を任意の方向に深く傾動させて、内部液体２０の液面２０ａの上側に存在する内部空気３０の領域が本体頂端面３ｃ側から本体底端面３ｄ側に移動してしまった場合であっても、直接連通した空気流路を形成できるような間隔、つまり、如何なる方向に深く傾動させた場合であっても、いずれか１ないし複数本の長細径管１０ｌによって、外部の空気とペットボトル本体３の本体底端面３ｄ側に移動した内部液体２０の領域とを直接連通させることが可能な間隔とする。
【００３９】
図４（Ａ）に示すごとき構造にすることにより、内部液体２０の残量の如何に関わらず、ペットボトル本体３を如何なる方向に急激に傾動させた場合であっても、短細径管１０ｓ、長細径管１０ｌのいずれかが、空気流路１１として、脈動防止具付きペットボトル１内の内部空気３０の領域と外部の空気とが直接連通した空気流路を確保することが可能となり、吐出される内部液体２０とぶつかり合うことなく、よりスムーズに、内部空気３０を内部液体２０と入れ替えることができ、脈動の発生をより確実に防止することができる。
【００４０】
なお、短細径管１０ｓ、長細径管１０ｌのように、別構造の細径管を用意する代わりに、図４（Ｂ）に示すように、長細径管１０ｌおよび当該長細径管１０ｌと隣接する短細径管１０ｓとに関し、注ぎ口２の注ぎ口頂端面２ｃから注ぎ口底端面２ｄまでに配備する部材部分を一体化させて口径を拡大した形状からなる長短混在の細径管１０ｗを用意し、長さの短い短細径管１０ｓ１側は途中の注ぎ口底端面２ｄの位置で開口させるようにし、一方、長さの長い長細径管１０ｌ１側は、図４（Ａ）の場合の長細径管１０ｌと同様の屈曲形状として、傾斜面部内壁４ａ、本体内壁３ａに密着して、本体底端面３ｄの近傍（あらかじめ定めた間隔）まで延在させた形状とするようにしても良い。
【００４１】
また、以上に説明した実施例においては、脈動防止具付きペットボトル１として、脈動防止具１０Ｇを形成する多数の細径管１０がペットボトルと一体成形されている場合を示したが、場合によっては、円環状に形成した多数の細径管１０からなる脈動防止具を、脈動防止具単体１０Ｇ１として、ペットボトルと分離して、独立に成形しておき、ペットボトルの内部液体を吐出させようとする際に、必要に応じて、当該ペットボトルの注ぎ口に脈動防止具単体１０Ｇ１を嵌着するようにしても良い。
【００４２】
かくのごとく、脈動防止具単体１０Ｇ１として多数の細径管１０からなる円環状の部材をペットボトルと別構造物として、ペットボトルの注ぎ口に嵌着自在な構造とする場合、例えば、図５のような複数の突起部１０ｃを、脈動防止具単体１０Ｇ１を形成する多数の細径管１０のうち、適当な間隔ごとの複数本の細径管１０について、当該細径管１０それぞれの注ぎ口頂端面２ｃの外周側に向かって延在させるように付設するようにしても良い。ここに、図５は、本発明に係る脈動防止具を単体としてペットボトルと分離して用意する場合の脈動防止具単体の構造の一例を示す構造図であり、図５（Ａ）は、上側から眺めた平面図であり、図５（Ｂ）は側断面図であり、いずれも、ペットボトルに脈動防止具単体１０Ｇ１を嵌着した状態を示している。
【００４３】
図５（Ａ）の平面図に示すように、脈動防止具単体１０Ｇ１を形成する複数本の細径管１０のうち、適当な間隔ごとに配置されている細径管１０の注ぎ口頂端面２ｃから外周方向に向かって延在させた突起部１０ｃが形成されており、脈動防止具単体１０Ｇ１をペットボトルの注ぎ口に嵌着した際に、突起部１０ｃがペットボトルの注ぎ口２の注ぎ口頂端面２ｃに係止された状態になるまで嵌挿することによって、脈動防止具単体１０Ｇ１をペットボトルの注ぎ口２の正しい位置に嵌着させることができる。
【００４４】
また、図５（Ｂ）の側断面図に示すように、脈動防止具単体１０Ｇ１を形成する複数本の細径管１０それぞれの長手方向の形状は、図２の場合とは異なり、各細径管１０の底端面１０ｂによって形成される円環の口径ＤＢが、各細径管１０の頂端面１０ａが形成する円環の口径Ｄ（ペットボトルの注ぎ口２の注ぎ口頂端面２ｃおよび注ぎ口底端面２ｄの内径に等しい）よりも、幅ｇだけ小さくなるように、各細径管１０の底端面１０ｂを、前記円環の内周側に若干傾斜させた形状としている。
【００４５】
つまり、脈動防止具単体１０Ｇ１をペットボトルの注ぎ口２に嵌着しようとする場合、ペットボトルの注ぎ口２の注ぎ口頂端面２ｃの口径よりも幅ｇだけ小さい口径とした脈動防止具単体１０Ｇ１の底端面は、注ぎ口２から容易に嵌挿させることができる。また、正しい取り付け位置まで嵌着されて、複数の突起部１０ｃが注ぎ口頂端面２ｃにそれぞれ係止された状態に達した際には、口径が注ぎ口頂端面２ｃの口径Ｄと略等しい脈動防止具単体１０Ｇ１の頂端面が注ぎ口頂端面２ｃに押し付けられた状態で面接して、両者の間に空隙がない密着した状態になり、注ぎ口２の中央部に位置する液体流路から内部液体の殆どを吐出させることができる。ここで、脈動防止具単体１０Ｇ１の頂端面の口径つまり各細径管１０の頂端面１０ａによって形成される円環の口径を、注ぎ口頂端面２ｃの内径Ｄよりも若干大きくするようにしても良く、かかる場合には、脈動防止具単体１０Ｇ１を正しく嵌着した際に、脈動防止具単体１０Ｇ１の頂端面と注ぎ口頂端面２ｃとの密着性をさらに向上させることができる。
【００４６】
さらに、図５（Ｂ）の側断面図に示すように、ペットボトルの注ぎ口２に嵌着された状態では、脈動防止具単体１０Ｇ１の突起部１０ｃは、注ぎ口頂端面２ｃの上方に突出した状態になっており、ペットボトルの注ぎ口２から脈動防止具単体１０Ｇ１を取り外す際に、突出している突起部１０ｃを摘んで引き出すようにすれば、ペットボトルの注ぎ口２から脈動防止具単体１０Ｇ１を容易に取り外すことができる。
【００４７】
かくのごとく、ペットボトルと別構造物として、ペットボトルの注ぎ口に嵌着自在な構造の脈動防止具単体１０Ｇ１を用意することにより、例えば、コンビニ等の飲料販売現場で、おまけ商品として、ペットボトルに付けてサービスするといった利用も可能になる。
【００４８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【００４９】
なお、以上には本発明をペットボトルに適用する実施例を挙げて詳しく説明した。しかしながら、本発明はペットボトルだけでなく、容器本体に比べ小さい径の注ぎ口を備える液体容器、例えば日本酒用の一升瓶、ワイン用ボトル、ジュース、牛乳、酒等用の紙容器などにも適用できることは勿論である。
【図面の簡単な説明】
【００５０】
【図１】本発明に係る脈動防止具付きペットボトルの構造の一例を示す斜視図である。
【図２】図１に示す脈動防止具付きペットボトルの構造を説明するための構造図である。
【図３】図１に示す脈動防止具付きペットボトルの内部液体を吐出させる際の様子を示す説明図である。
【図４】本発明に係る脈動防止具付きペットボトルの構造の図２とは異なる例を示す要部断面図である。
【図５】本発明に係る脈動防止具を単体としてペットボトルと分離して用意する場合の脈動防止具単体の構造の一例を示す構造図である。
【図６】従来のペットボトル用注ぎ水脈動防止具の構造を示す断面図である。
【図７】従来のペットボトル用注ぎ口の偏芯構造を示す断面図である。
【符号の説明】
【００５１】
１      脈動防止具付きペットボトル
１′    ペットボトル
２      注ぎ口
２ａ    注ぎ口内壁
２ｂ    注ぎ口外壁
２ｃ    注ぎ口頂端面
２ｄ    注ぎ口底端面
２ｅ    注ぎ口ネジ部
３      ペットボトル本体
３ａ    本体内壁
３ｂ    本体外壁
３ｃ    本体頂端面
３ｄ    本体底端面
４      ペットボトル傾斜面部
４ａ    傾斜面部内壁
４ｂ    傾斜面部外壁
１０    細径管
１０ａ  頂端面
１０ｂ，１０ｂ１  底端面
１０ｃ  突起部
１０Ｇ  脈動防止具
１０Ｇ１  脈動防止具単体
１０ｌ，１０ｌ１  長細径管
１０ｓ，１０ｓ１  短細径管
１０ｗ  長短混在の細径管
１１    空気流路
１２    液体流路
２０    内部液体
２０ａ  液面
３０    内部空気
５０    屈曲管状空気路
【図１】
2010083530.tif 000003
【図２】
2010083530.tif 000004
【図３】
2010083530.tif 000005
【図４】
2010083530.tif 000006
【図５】
2010083530.tif 000007
【図６】
2010083530.tif 000008
【図７】
2010083530.tif 000009